(57)【要約】【課題】フィルタを掃除する際に、フィルタ内の残留洗濯水の排水を容易に出来るチャンネル部材を備えた洗濯機を提供することを目的とする。【解決手段】ケース部材６０の開口部よりフィルタケース側に仮想点７２を持ち、仮想点７２を中心とした円弧形状を備え、ケース部材６０のフィルタ部材装着部６５の下側に配置され、フィルタ部材に接合するための長溝７３を持ち、チャンネル部材７０を引き出した場合に、いかなる引き出し位置においても仮想点７２を中心としたチャンネル部材円弧軌跡上にチャンネル部材７０が配置されているので、残留洗濯水８０の排水が容易にできる。【選択図】図６
2016158742.tif 000002
【特許請求の範囲】
【請求項１】
洗濯水を貯水する水槽と、前記水槽の底部から流出される洗濯水が通過するケース部材と、前記ケース部材に設けられ前記水槽の底部から流出される洗濯水が流れ込むケース流入路と、前記ケース部材に設けられ前記ケース流入路から流れ込んだ洗濯水が前記ケース部材から流れ出るケース排出路と、前記ケース部材内に着脱自在に収納されるフィルタ部材とを備え、前記ケース部材の下方位置にチャンネル部材を前後方向に移動可能に設け、前記チャンネル部材は、前記チャンネル部材の引出位置で下面前方位置が下方に向くような円弧状に形成したことを特徴とする洗濯機。
【請求項２】
前記チャンネル部材は、下面が収納位置と引出位置とで、同じ仮想点を中心とした円弧形状となるよう形成したことを特徴とする請求項１に記載の洗濯機。
【請求項３】
前記仮想点を、前記ケース部材の下方位置に位置させたことを特徴とする請求項２に記載の洗濯機。
【請求項４】
前記チャンネル部材は、略円筒形状に形成したことを特徴とする請求項１から３のいずれかに記載の洗濯機。
【発明の詳細な説明】
【技術分野】
【０００１】
本発明は、洗濯水に含まれる糸くず・髪の毛、衣服用のボタン、衣服用の付属具等の異物を洗濯水から捕集するフィルタ装置を備えた洗濯機に関する。
【背景技術】
【０００２】
従来、この種の洗濯機は、回転自在な内槽を収納し、洗濯水を溜める外槽と、外槽の底部から流出する洗濯水に含まれる異物を捕集するフィルタ装置と、フィルタ装置を掃除する為に、フィルタ体を着脱する際に排出される洗濯水をトレイ等へ導くチャンネル体を備えたものが開示されている（例えば、特許文献１参照）。
【０００３】
図７は、特許文献１に記載された従来の洗濯機のフィルタ装置を示す断面図である。図７において、フィルタ装置１００は、筒形をなすフィルタケース１５０と、このフィルタケース１５０の外部に取り付けられたチャンネル体１５１とを備える。
【０００４】
チャンネル体１５１は、通常時においては、フィルタ体１５２の把持部１５３を覆うようにフィルタケース１５０の外部壁面に装着されている。
【０００５】
チャンネル体１５１の最下部の適切な位置に軸１５１ｃが設けられ、また最上部にはつまみ部１５１ｄが設けられている。フィルタ体１５２の清掃が必要となった場合は、つまみ部１５１ｄを指でつまみ、チャンネル体１５１を最適位置１５１ａへ開動作させることにより、フィルタ体１５２を着脱し、開口部１５０ａから洗濯水を排出させる。
【先行技術文献】
【特許文献】
【０００６】
【特許文献１】特開２００９−８９９４７号公報
【発明の概要】
【発明が解決しようとする課題】
【０００７】
しかしながら、前記従来の構成では、チャンネル体１５１の前端を最適位置１５１ａに回動し、排水を受けるトレイ１５４を狙うことにより、排水している。ところが、使用者が前端を下部に向ける際に最適位置１５１ａではなく、途中位置１５１ｂに配置された場合、開口部１５０ａから排水される洗濯水が、トレイ１５４に適切に排水されず、床等に滴下するという課題が有していた。
【０００８】
本発明は、前記従来の課題を解決するもので、使用者が排水を容易にできるチャンネル体を備えた洗濯機を提供することを目的とする。
【課題を解決するための手段】
【０００９】
前記従来の課題を解決するために、本発明の洗濯機は、洗濯水を貯水する水槽と、前記水槽の底部から流出される洗濯水が通過するケース部材と、前記ケース部材に設けられ前記水槽の底部から流出される洗濯水が流れ込むケース流入路と、前記ケース部材に設けられ前記ケース流入路から流れ込んだ洗濯水が前記ケース部材から流れ出るケース排出路と、前記ケース部材内に着脱自在に収納されるフィルタ部材とを備え、前記ケース部材の下方位置にチャンネル部材を前後方向に移動可能に設け、前記チャンネル部材は、前記チャンネル部材の引出位置で下面前方位置が下方に向くような円弧状に形成するものである。
【００１０】
これによって、チャンネル部材引き出すことで、チャンネル部材の先端を確実にトレイ
に向けることになり、容易に排水することができる。
【発明の効果】
【００１１】
本発明によれば、フィルタ装置を着脱する際に、チャンネル部材により、洗濯水を床等に滴下させることなく、容易に排水することができる。
【図面の簡単な説明】
【００１２】
【図１】本発明の実施の形態１における洗濯機の外観を示す斜視図
【図２】同洗濯機の概略縦断面図
【図３】同洗濯機のケース部材とチャンネル部材の分解斜視図
【図４】同洗濯機のケース部材にチャンネル部材が装着された状態の断面図
【図５】同洗濯機のケース部材からフィルタ部材を取り外し、チャンネル部材を引き出した斜視図
【図６】同洗濯機のフィルタ部が洗濯水を排水する態様図
【図７】従来の洗濯機のフィルタ装置を示す断面図
【発明を実施するための形態】
【００１３】
第１の発明は、洗濯水を貯水する水槽と、前記水槽の底部から流出される洗濯水が通過するケース部材と、前記ケース部材に設けられ前記水槽の底部から流出される洗濯水が流れ込むケース流入路と、前記ケース部材に設けられ前記ケース流入路から流れ込んだ洗濯水が前記ケース部材から流れ出るケース排出路と、前記ケース部材内に着脱自在に収納されるフィルタ部材とを備え、前記ケース部材の下方位置にチャンネル部材を前後方向に移動可能に設け、前記チャンネル部材は、前記チャンネル部材の引出位置で下面前方位置が下方に向くような円弧状に形成することにより、チャンネル部材を引き出すことで、チャンネル部材の先端の方向を確実にトレイに向けることができ、容易に排水することができる。
【００１４】
第２の発明は、特に、第１の発明において、前記チャンネル部材は、下面が収納位置と引出位置とで、同じ仮想点を中心とした円弧形状となるよう形成することにより、引き出し動作中のチャンネル部材下面が同一軌跡上に配置されることになり、引き出し位置によらず、洗濯水が逆流することなく、容易に排水することができる。
【００１５】
第３の発明は、特に、第２の発明の前記仮想点を、前記ケース部材の下方位置に位置させることにより、洗濯水が逆流することなく、容易に排水することができる。
【００１６】
第４の発明は、特に、第１から第３の発明の前記チャンネル部材は、略円筒形状に形成することにより、洗濯水が逆流することなく、容易に排水することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における洗濯機の外観を示す斜視図、図２は、同洗濯機の概略縦断面図、図３は、同洗濯機のケース部材とチャンネル部材の分解斜視図、図４は、同洗濯機のケース部材にチャンネル部材が装着された状態の断面図、図５は、同洗濯機のケース部材にチャンネル部材の側面図、図６は、同洗濯機のフィルタ部が洗濯水を排水する態様図、図７は、従来の洗濯機のフィルタ装置を示す断面図である。
【００１９】
本実施の形態１においては、洗濯機は、ドラム式洗濯機を用いて説明し、以下、ドラム式洗濯機というが、ドラム式洗濯機に限定するものではない。
【００２０】
図１に示すように、本実施形態のドラム式洗濯機は、大略構成として、略箱状の本体部１と、回転軸２を支点として本体部１に対して開閉自在に設けられた第１扉体３と、第１扉体３の上部に配置された操作部４と、操作部４に隣接して配置された表示部５と、第１扉体３の上方で、かつ表示部５に隣接し、本体部１に対して凹んだ取手部４０に手を入れて引き出し可能に開閉できる洗剤収容容器６とを備えている。また、本体部１の背面には、後述する給水器２５の一部が露出されている。
【００２１】
本体部１の下部には、本体部１に対して開閉自在に設けられた第２扉体４５が設けられており、第２扉体４５を開放すると、第２扉体４５の内部には、フィルタ部材５０が配設されており、フィルタ部材５０の把持部５１が露出される。
【００２２】
本体部１へ衣類を投入、或いは本体部１から衣類を取り出す際には、扉体３を開いて行う。また、粉体状の粉末洗剤や液体洗剤や液体仕上剤などを洗剤収容容器６に投入する際は、本体部１から洗剤収容容器６を引き出して行う。粉末洗剤等を洗剤収容容器６に投入後は、洗剤収容容器６を押し込んで本体部１側に収納する。操作部４を操作することで本体部１に電源が投入でき、また、洗い、すすぎ、脱水など、各種洗濯コースも選択できる。その選択結果や選択した洗濯コースが完了するまでの時間情報、各種洗濯行程進行状況、洗濯完了情報等が表示部５に表示されるようになっている。
【００２３】
次に、本体部１が有する各構成要素について説明する。
【００２４】
図２に示すように、本体部１には投入口７が設けられ、環状パッキン８、回転ドラム１０、水槽１１、モータ１２が収容されている。
【００２５】
本体部１の正面側には、投入口７が形成され、投入口７は、扉体３により開閉自在に閉塞され、扉体３を開放することにより、投入口７から衣類の出し入れができるようになっている。
【００２６】
環状パッキン８は、投入口７と水槽１１との間に配置される。環状パッキン８により投入口７と水槽１１との間の隙間に衣類が嵌入したり、洗濯水が脱落することを防止する。
【００２７】
本体部１内には、水槽１１が揺動自在に支持され、水槽１１内に回転ドラムが回転自在に配設されている。回転ドラム１０は、有底円筒形に形成され、外周部に多数の通水孔１４が設けられている。回転ドラム１０の通水孔１４は、水槽１１内の洗濯水が回転ドラム１０の内外に通過できるようになっている。
【００２８】
モータ１２は、水槽１１の背面側に取り付けており、水槽１１内の回転ドラム１０を正転、逆転方向に回転駆動する。
【００２９】
回転ドラム１０の内壁面には、突起部１３が複数設けられている。突起部１３は、回転ドラム１０を回転させることにより、衣類を突起部１３で引っ掛けて上方に持ち上げた後、適当な高さで落下させるといった撹拌動作（タンブリング動作）を与え、衣類の撹拌たたき洗い、および乾燥動作などを行う。
【００３０】
また、水槽１１の下方に配置されたダンパー１５および水槽１１の上方に配置されたばね体１６により、本体部１に対して水槽１１が揺動自在に防振支持されている。
【００３１】
水槽１１の上部側には、給水器２５と、洗剤収容容器６を含む洗剤収容部２６と、が配置されている。洗剤収容部２６は、洗剤収容容器６と、給水部材３０と、送水部材３１と
、接続管部材３２と、から構成される。
【００３２】
給水部材３０には、水道蛇口に接続される給水器２５が接続されている。送水部材３１は、給水部材３０の下方に設けられており、洗剤収容容器６を引き出し可能に保持している。
【００３３】
接続管部材３２は、一端が送水部材３１に接続され、他端は水槽１１に接続される。洗剤収容容器６は、前述したように、本体部１に対して引き出し可能であり、図２では、本体部１から引き出した状態を２点鎖線で示している。
【００３４】
水槽１１の背面側の下部には、排水口１７が設けられ、排水口１７は、排水管１９を介してケース部材６０に接続される。ケース部材６０には、排水ポンプ１８が取り付けられており、排水ポンプ１８が動作することで、水槽１１内の洗濯水を本体部１の外部に排水ホース３５を介して排水する。
【００３５】
また、ケース部材６０には、循環ポンプ２１が取り付けられており、循環ポンプ２１は、循環経路２２を経由して水槽１１に設けた噴射口２３に接続されている。洗い行程においては、循環ポンプ２１の動作により、排水口１７から吸い込まれた洗濯水が、ケース部材６０を通過し、噴射口２３から回転ドラム１０内の洗濯物に向けて噴射され、洗濯物に洗濯水を含ませる動作を行い、洗濯水が循環することで、洗い効果を高めることができる。なお、すすぎ行程の場合は、排水口１７から吸い込まれたすすぎ水が、ケース部材６０を通過し、噴射口２３から回転ドラム１０内の洗濯物に向けて噴射されることで、洗濯物に含まれる洗剤液を除去する動作を行い、すすぎ水が循環することで、すすぎ効果を高める。
【００３６】
さらに、ケース部材６０の内部には、フィルタ部材５０が着脱可能に収容されている。
【００３７】
次に、図３を用いてケース部材６０周辺を説明する。ケース部材６０は、ケース流入路６１と、ケース排出路６２と、循環ポンプ接続部６３と、排水ポンプ接続部６４と、フィルタ部材装着部６５とを備えている。
【００３８】
ケース流入路６１には、排水管１９が接続され、水槽１１の底部に設けられた排水口１７と連通している。ケース排出路６２には、排水ホース３５が接続されている。循環ポンプ接続部６３には、循環ポンプ２１が取付けられる。排水ポンプ接続部６４には、排水ポンプ１８が取付けられ、排水ポンプ１８が作動することで、ケース排出路６２にケース部材６０内の洗濯水が排水されるように構成している。
【００３９】
ケース部材６０は、内部に空間部を有し、空間部内に、フィルタ部材５０の把持部５１の一端側に設けられたフィルタ部５２が収容されている。
【００４０】
この構成により、排水時においては、排水ポンプ接続部６４に取り付けられた排水ポンプ１８の動作により、ケース流入路６１から流入した洗濯水は、フィルタ部５２を経た後、ケース排出路６２を通って、排水ホース３５に流れ出されることとなる。
【００４１】
また、洗い行程時およびすすぎ行程時の循環ポンプ２１の動作時においては、循環ポンプ接続部６３に取り付けられた循環ポンプ２１の動作により、ケース流入路６１から流入した洗濯水は、フィルタ部５２を経た後、循環ポンプ接続部６３、循環ポンプ２１、循環経路２２を経由して水槽１１に設けた噴射口２３から回転ドラム１０内の洗濯物に向けて噴射されることとなる。
【００４２】
フィルタ部材５０は、着脱方向に長く形成され、多数の枡形貫通孔５５を備える。把持部５１は、フィルタ部材５０の一端に設けられている。前述した第２扉体４５を開くと、把持部５１が露見され、把持部５１を所定方向に回転させると、ロックが解除される。フィルタ部材５０のロックが解除された状態で、フィルタ部材５０が引き抜き可能になる。さらに取り外されたフィルタ部材５０は、外部からフィルタ部材装着部６５に挿入され、前述の所定方向とは反対方向に回転させることでロックさせることができる。
【００４３】
ケース部材６０前方の両側面には、突出部６６が形成され、突出部６６は、ケース部材６０の前後方向に対して両端が下方に位置するような円弧状に形成されている。
【００４４】
ケース部材６０前下方位置には、チャンネル部材７０が装着される。チャンネル部材７０は、半円筒状に形成され、ケース部材６０の前後方向に対して前後方向の両端部が下方に位置するような円弧状に形成されている。チャンネル部材７０の両端部には、ケース部材６０の突出部６６が挿入される長溝７３が形成されている。
【００４５】
チャンネル部材７０は、長溝７３に突出部６６を挿入することにより、ケース部材６０下部に重なり合う収納位置（図４参照）と、ケース部材６０から引き出した引出位置（図５参照）との間を移動可能に支持される。チャンネル部材７０は、チャンネル部材７０の前側端部に形成したつまみ部７１を把持して、前方側へ引き出し操作できる。
【００４６】
チャンネル部材７０は、チャンネル部材７０の下面が収納位置と引出位置とで、仮想点７２を中心とした円弧となるように形成しており、仮想点７２がケース部材６０の前側端部よりケース部材６０の下方位置に位置するように形成している。
【００４７】
次に、洗濯水の流れについて説明する。
【００４８】
水槽１１内の洗濯水は、排水ポンプ１８が開状態になると機外へ排出される。具体的には、排水ポンプ１８が動作して開状態となったときは、水槽１１内の洗濯水がケース流入路６１からケース部材６０に入った洗濯水は、フィルタ部５２の複数の枡形貫通孔５５を通った後、矢印Ａのように、ケース排出路６２へ排出される。
【００４９】
一方、排水ポンプ１８の停止中において、循環ポンプ２１が動作すると、水槽１１内の洗濯水は、ケース流入路６１を通り、底部５３の複数の枡形貫通孔５５を通った後、矢印Ｃのように、循環ポンプ接続部６３を通り、再び水槽１１に供給される。
【００５０】
すなわち、水槽１１から排出される洗濯水は、機外へまたは再び水槽１１に供給されるものであり、この洗濯水は、必ずフィルタ部５２を通過するように構成されている。よって、糸くず・髪の毛やボタンなどの異物がフィルタ部５２に捕集されることとなる。
【００５１】
よって、洗濯水の流れを維持するために、定期的にフィルタ部材を着脱し、捕集された異物を除去する必要性がある。
【００５２】
次に、図４〜図６を用いて説明する。
【００５３】
図５は、フィルタ部材５０を取り外している状態を表している。使用者は、捕集された異物を除去するために、フィルタ部材５０を取り外すが、その際には滞留していた洗濯水が外部へ排出されることとなる。
【００５４】
図６は、チャンネル部材７０を引き出した状態を表している。チャンネル部材７０は、チャンネル部材７０の引出位置で下面前方位置が下方に向くような円弧形状となっている
ので、引き出した場合に、必ずチャンネル部材７０前端が下方向を向くこととなり、使用者が注意を払わなくとも、矢印のように、チャンネル部材７０内に滞留していた洗濯水が確実に水受けトレイに排出される。
【００５５】
チャンネル部材７０は、チャンネル部材７０の下面が収納位置と引出位置とで、仮想点７２を中心とした円弧となるように形成しているので、チャンネル部材７０は、下面が引き出し動作中に同一軌跡上に配置されることになり、引き出し位置によらず、洗濯水が逆流することなく、使用者が注意を払わずとも容易に排水することができる。
【００５６】
仮想点は、ケース部材６０の前側端部よりケース部材６０の下方位置に位置するように形成しているので、洗濯水の逆流を防止することができる。
【００５７】
チャンネル部材７０は、円筒状に形成しているので、洗濯水が横方向に漏れるのを抑制することができる。
【産業上の利用可能性】
【００５８】
以上のように、本発明にかかる洗濯機は、チャンネル部の前端に設けられたつまみ部を持ち、手前方向に引き出すことで、前端の方向を確実にトレイに向けることになり、使用者が注意を払わずとも容易に排水することができるので、ドラム式洗濯機のみならず、パルセータ式洗濯機にも適用できる。
【符号の説明】
【００５９】
１１  水槽
５０  フィルタ部材
５１  把持部
５２  フィルタ部
５５  枡形貫通孔
６０  ケース部材
６１  ケース流入路
６２  ケース排出路
６３  循環ポンプ接続部
６４  排水ポンプ接続部
６５  フィルタ部材装着部
７０  チャンネル部材
７１  つまみ部
７２  仮想点
７３  長溝
８０  残留洗濯水
【図１】
2016158742.tif 000003
【図２】
2016158742.tif 000004
【図３】
2016158742.tif 000005
【図４】
2016158742.tif 000006
【図５】
2016158742.tif 000007
【図６】
2016158742.tif 000008
【図７】
2016158742.tif 000009